(57)【要約】パレットはベース層と積荷層とを含む。積荷層は、一対の離隔端部デッキボードと、一対の離隔端部デッキボードの間の中間デッキボードと、を含む。各端部デッキボードと中間デッキボードは、互いに突き合わされる。離隔サポートは、リフト部材を受け入れるためにそれらの間にギャップを形成し、ベース層と積荷層との間に結合される。
2021532031.tif 000002
【特許請求の範囲】
【請求項１】
ベース層と；
積荷層であって、
一対の離隔外側コネクタボードと、
前記一対の外側コネクタボードの間に少なくとも１つの中央コネクタボードと、
前記一対の外側コネクタボードと前記少なくとも１つの中央コネクタボードとの上の一対の離隔端部デッキボードであって、前記外側コネクタボードと前記少なくとも１つの中央コネクタボードとに直交している、一対の離隔端部デッキボードと、
前記一対のコネクタボードと前記少なくとも１つの中央コネクタボードとの上の一対の離隔中間デッキボードであって、前記外側コネクタボードと前記少なくとも１つの中央コネクタボードとに直交して、それぞれの端部デッキボードに突き当てられる、一対の中間デッキボードと、を備える積荷層と；
リフト部材を受け入れるためにそれらの間にギャップを形成し、前記ベース層と積荷層との間に結合される、複数の離隔サポートであって、
前記外側コネクタボードの１つに接触する上部フランジと、前記ベース層に接触する底部フランジとを有するＣ字型ブラケットとして構成される外側サポートと、
前記少なくとも１つの中央コネクタボードに接触する上面と、前記ベース層に接触する底面とを有する円筒形シリンダとして構成される中央サポートと、を備える複数の離隔サポートと、
を備えることを特徴とするパレット。
【請求項２】
前記外側サポートが金属を含み、前記中央サポートがプラスチックを含むことを特徴とする請求項１に記載のパレット。
【請求項３】
前記外側および中央コネクタボードが木材を含み、前記端部および中間デッキボードが木材を含む、ことを特徴とする請求項１に記載のパレット。
【請求項４】
前記中間デッキボードおよび前記端部デッキボードは、同じ幅を有する、ことを特徴とする請求項１に記載のパレット。
【請求項５】
前記積荷層は、前記一対の中間デッキボードの間に少なくとも１つの追加の中間デッキボードをさらに含み、前記少なくとも１つの追加の中間デッキボードは、前記一対の中間デッキボードから離隔されている、ことを特徴とする請求項１に記載のパレット。
【請求項６】
前記ベース層は、一対の離隔底端部デッキボードと、前記一対の底端部デッキボードとの間の少なくとも１つの底部中央デッキボードとを含み、各外側サポートの前記底部フランジが前記底端部デッキボードまたは前記少なくとも１つの底部中央デッキボードの１つに接触する、ことを特徴とする請求項１に記載のパレット。
【請求項７】
前記底端部デッキボードおよび前記少なくとも１つの底部中央デッキボードは、前記積荷層内に前記端部デッキボードと前記中間デッキボードと整列している、ことを特徴とする請求項７に記載のパレット。
【請求項８】
各円筒形シリンダは、それを通って延びる開口部を備えた中央ハブと、外壁と、前記中央ハブと前記外壁との間に延びる複数のリブと、を備える、ことを特徴とする請求項１に記載のパレット。
【請求項９】
前記ベース層および前記積荷層は、前記中央サポートに前記中央ハブの開口部と整列するファスナ開口部を含み、前記ベース層および前記積荷層を前記中央サポートに結合するための複数のファスナをさらに備える、ことを特徴とする請求項８に記載のパレット。
【請求項１０】
前記複数のリブは、前記中央ハブと前記外壁と対向する端部から凹んでいる、ことを特徴とする請求項８に記載のパレット。
【請求項１１】
各外側サポートの前記上部フランジは、それを通って延びる単一のファスナ開口部を含み、各外側サポートの前記底部フランジは、それを通って延びる一対のファスナ開口部を含み、
前記ベース層と前記積荷層は、前記外側サポートの開口部と整列したファスナ開口部を含み、前記ベース層と前記積荷層を前記外側サポートに固定するための複数のファスナをさらに備える、ことを特徴とする請求項１に記載のパレット。
【請求項１２】
ベース層を提供するステップと；
積荷層を提供するステップであって、
一対の離隔外側コネクタボードと、
前記一対の外側コネクタボードの間に少なくとも１つの中央コネクタボードと、
前記一対の外側コネクタボードと前記少なくとも１つの中央コネクタボードとの上の一対の離隔端部デッキボードであって、前記外側コネクタボードと前記少なくとも１つの中央コネクタボードとに直交している、一対の離隔端部デッキボードと、
前記一対のコネクタボードと前記少なくとも１つの中央コネクタボードとの上の一対の離隔中間デッキボードであって、前記外側コネクタボードと前記少なくとも１つの中央コネクタボードとに直交して、それぞれの端部デッキボードに突き当てられる、一対の中間デッキボードと、を備える積荷層を提供するステップと；
リフト部材を受け入れるためにそれらの間にギャップを形成し、前記ベース層と積荷層との間に複数の離隔サポートを結合するステップであって、前記サポートは、
前記外側コネクタボードの１つに接触する上部フランジと、前記ベース層に接触する底部フランジとを有するＣ字型ブラケットとして構成される外側サポートと、
前記少なくとも１つの中央コネクタボードに接触する上面と、前記ベース層に接触する底面とを有する円筒形シリンダとして構成される中央サポートと、を備える、複数の離隔サポートを結合するステップと、
を備えることを特徴とするパレットを製造するための方法。
【請求項１３】
前記外側サポートが金属を含み、前記中央サポートがプラスチックを含むことを特徴とする請求項１２に記載の方法。
【請求項１４】
前記外側および中央コネクタボードが木材を含み、前記端部および中間デッキボードが木材を含む、ことを特徴とする請求項１２に記載の方法。
【請求項１５】
前記中間デッキボードおよび前記端部デッキボードは、同じ幅を有する、ことを特徴とする請求項１２に記載の方法。
【請求項１６】
前記積荷層は、前記一対の中間デッキボードの間に少なくとも１つの追加の中間デッキボードをさらに含み、前記少なくとも１つの追加の中間デッキボードは、前記一対の中間デッキボードから離隔されている、ことを特徴とする請求項１２に記載の方法。
【請求項１７】
前記ベース層は、一対の離隔底端部デッキボードと、前記一対の底端部デッキボードとの間の少なくとも１つの底部中央デッキボードとを含み、各外側サポートの前記底部フランジが前記底端部デッキボードまたは前記少なくとも１つの底部中央デッキボードの１つに接触する、ことを特徴とする請求項１２に記載の方法。
【請求項１８】
前記底端部デッキボードおよび前記少なくとも１つの底部中央デッキボードは、前記積荷層内に前記端部デッキボードと前記中間デッキボードと整列している、ことを特徴とする請求項１７に記載の方法。
【請求項１９】
各円筒形シリンダは、それを通って延びる開口部を備えた中央ハブと、外壁と、前記中央ハブと前記外壁との間に延びる複数のリブと、を備える、ことを特徴とする請求項１２に記載の方法。
【請求項２０】
前記ベース層および前記積荷層は、前記中央サポートに前記中央ハブの開口部と整列するファスナ開口部を含み、前記ベース層および前記積荷層を前記中央サポートに結合するための複数のファスナをさらに備える、ことを特徴とする請求項１９に記載の方法。
【発明の詳細な説明】
【技術分野】
【０００１】
本開示は、パレットの分野、より具体的には、マテリアルハンドリング機器からの衝撃に対する弾力性が改善された木製パレットに関する。
【背景技術】
【０００２】
従来の木製パレットは、サポートブロックによって分離されたベース層と積荷層を含む。積荷層は、慣例上、パレットの全長または全幅を広がるコネクタボード上に組み立てられた端部デッキボードを有する。端部デッキボードは、パレットの一次構造を構築するために、コネクタボードを介してサポートブロックに釘付けされる。端部デッキボードは、リードボードとも知られている。中間デッキボードは、端部デッキボードの間に配置される。
【０００３】
積荷を載せたパレットを移動するためには、ベース層と積荷層の間のギャップにフォークリフトのタインが挿入される。フォークリフトが時間内に停止しなければ、フォークリフトがパレットの端部デッキボードの１つに衝突するかもしれない。端部デッキボードは、時間の経過とともにそのような衝撃に耐えることができないかもしれない。このような事故により、パレットが弱くなり、パレットの寿命が大幅に短くなるため、予想されるライフサイクルに達するずっと前に、パレットの修理やサービスの停止が頻繁に発生する。
【発明の概要】
【課題を解決するための手段】
【０００４】
パレットは、ベース層と、積荷層と、ベース層と積荷層との間に結合され、リフト部材を受け入れるためにそれらの間にギャップを形成する複数の離隔サポートと、を含む。
【０００５】
積荷層は、一対の離隔外側コネクタボードと、一対の外側コネクタボードの間に少なくとも１つの中央コネクタボードと、を含む。一対の離隔端部デッキボードは、一対の外側コネクタボードおよび少なくとも１つの中央コネクタボード上にあり、端部デッキボードは、外側コネクタボードおよび少なくとも１つの中央コネクタボードに直交している。一対の離隔中間デッキボードは、一対のコネクタボードおよび少なくとも１つの中央コネクタボード上にあり、中間デッキボードは、外側コネクタボードおよび少なくとも１つの中央コネクタボードに直交し、それぞれの端部デッキボードに突き当たっている。
【０００６】
ベース層と積荷層の間に結合された離隔サポートは、外側サポートと、中央サポートとを含む。外側サポートは、外側コネクタボードの１つに接触する上部フランジと、ベース層に接触する底部フランジとを有するＣ字型ブラケットとして構成されてもよい。中央サポートは、上面が少なくとも１つの中央コネクタボードに接触し、底面がベース層に接触する円筒形シリンダとして構成されてもよい。
【０００７】
外側サポートは金属を含み得、中央サポートはプラスチックを含み得る。外側および中央コネクタボードは木材を含み得、端部および中間デッキボードは木材を含み得る。中間デッキボードと端部デッキボードは同じ幅を有してもよい。
【０００８】
積荷層は、中間デッキボードの対の間に少なくとも１つの追加の中間デッキボードをさらに含み得、少なくとも１つの追加の中間デッキボードは、中間デッキボードの対から離隔されている。
【０００９】
ベース層は、一対の離隔底端部デッキボード、および一対の底端部デッキボード間の少なくとも１つの底部中央デッキボードを含み得、各外側サポートの底部フランジは、底端部デッキボードの１つ、または少なくとも１つの底部中央デッキボードに接触し得る。
【００１０】
底端部デッキボードおよび少なくとも１つの底部中央デッキボードは、積荷層の端部デッキボードおよび中間デッキボードと整列させてもよい。
【００１１】
各円筒形シリンダは、それを通って延びる開口部を備えた中央ハブと、外壁と、中央ハブと外壁との間に延びる複数のリブとを備えてもよい。複数のリブは、中央ハブおよび外壁の対向する端部から凹んでもよい。
【００１２】
ベース層と積荷層は、中央サポートの中央ハブの開口部と整列させたファスナ開口部を含んでもよく、パレットは、ベース層と積荷層を中央サポートに結合するための複数のファスナをさらに含んでもよい。
【００１３】
各外側サポートの上部フランジは、それを通って延びる単一のファスナ開口部を含んでもよく、各外側サポートの底部フランジは、それを通って延びる一対のファスナ開口部を含んでもよい。ベース層および積荷層は、外側サポートの開口部と整列させたファスナ開口部を含んでもよく、パレットは、ベース層および積荷層を外側サポートに固定するための複数のファスナをさらに含んでもよい。
【００１４】
別の態様は、上記のようなパレットを製造するための方法に向けられる。
【図面の簡単な説明】
【００１５】
【図１】図１は、本開示による、突き合わせたデッキボードを備えた木製パレットの上面斜視図である。
【図２】図２は、図１に示した木製パレットの底面斜視図である。
【図３】図３は、図１に示される木製パレットの上面図である。
【図４】図４は、図１に示した木製パレットの底面図である。
【図５】図５は、図１に示される木製パレットの側面図である。
【図６】図６は、図１に示した木製パレットの端面図である。
【図７】図７は、図１に示される金属ブラケット外側サポートのうちの１つの斜視図である。
【図８】図８は、図１に示されるプラスチックシリンダ中央サポートのうちの１つの斜視図である。
【図９】図９は、図１に示されるサポートの代替としての木製ブロックサポートの斜視図である。
【発明を実施するための形態】
【００１６】
本説明は、例示的な実施形態が示されている添付の図面を参照して行われる。しかしながら、多くの異なる実施形態が使用されてもよく、したがって、説明は、本明細書に記載の特定の実施形態に限定されると解釈されるべきではない。むしろ、これらの実施形態は、本開示が徹底的かつ完全になるように提供される。同様の番号は、全体を通して同様の要素を指す。
【００１７】
図を参照すると、図１〜６を参照すると、図示された木製パレット１０は、ベース層２０、積荷層３０、およびベース層と積荷層との間に結合された複数のサポート４０、４６とを含む。サポート４０、４６は、フォークリフトタインなどのリフト部材を受け入れるために、ベース層２０、３０との間にギャップ５０を形成する。
【００１８】
積荷層３０は、一対の離隔木製端部デッキボード３２と、端部デッキボード間の一対の木製中間デッキボード３４とを含む。より具体的には、各端部デッキボード３２および直接隣接する中間デッキボード３４は、互いに突き合わされている。パレットの耐久性は、端部デッキボード３２を直接隣接する中間デッキボード３４に突き合わせることによって大幅に改善される。
【００１９】
積荷層３０内には、一対の離隔木製コネクタボード３６および木製中間コネクタボード３７も含まれる。コネクタボード３６および中間コネクタボード３７は、端部デッキボード３２および中間デッキボード３４に直交している。端部デッキボード３２および中間デッキボード３４は、コネクタボード３６の上に配置されている。
【００２０】
ベース層２０は、積荷層３０内の端部デッキボード３２および中間デッキボード３４と同じ方向に向けられた底部デッキボード２２、２６を含む。底部デッキボード２２、２６は、サポート４０、４６に直接結合されている。
【００２１】
サポートは、外側サポート４０と、外側サポート４０との間の中央サポート４６とを含む。外側サポート４０は、図７に示されるように、Ｃ字形またはＵ字形を有する金属ブラケットとして構成される。中央サポート４６は、図８に示されるように、円筒形のプラスチックシリンダとして構成される。
【００２２】
ボルトは、サポート４０、４６をベース層および積荷層２０、３０の対応するボードに固定するために使用される。積荷層３０に固定するとき、単一のそれぞれのボルト６３は、各サポート４０、４６に使用される。ベース層２０については、ベース層２０に固定するとき、一対のそれぞれのボルト６３が各外側サポート４０に使用され、同じ単一のそれぞれのボルト６３が各中央サポート４６のために使用される。
【００２３】
金属ブラケット外側サポート４０について、単一のボルト開口部７０が積荷層に面する側にあり、一対のボルト開口部７２がベース層に面する側にある。プラスチックシリンダ中央サポート４６について、単一のボルト開口部８０が積荷およびベース層に面する側にある。プラスチックシリンダ中央サポート４６は、ボルト開口部８０を含む中央ハブ９０と、中央ハブ９０から外壁９４まで径方向に延びるリブ９２とを含む。リブ９２は、中央ハブ９０および外壁９４の対向する端部４７、４９から凹んでいてもよい。ノッチまたは開口部９５は、プラスチックシリンダ中央サポート４６の内部に入る可能性のある液体を排出するために、対向する端部４７、４９に設けられている。
【００２４】
金属ブラケット外側サポート４０およびプラスチックシリンダ中央サポート４６の代替として、木製ブロックサポート１００は、図９に示されるように使用されてもよい。他の実施形態では、木製ブロックサポート１００は、中央サポート４６が残っている間に外側サポート４０を置き換えるために使用されてもよく、または外側サポート４０が残っている間に中央サポート４６を置き換えるために使用されてもよい。
【００２５】
釘６６は、積荷層３０内で隣接するボードを一緒に結合するために使用される。釘６６は、端部デッキボード３２、中間デッキボード３４、および追加の中間デッキボード ３５をコネクタボード３６および中間コネクタボード３７に固定するために使用される。釘は、特に突き合わせられた中間デッキボード３４において、締め付けられる釘であってもよい。
【００２６】
各木製サポート１００のエッジは、角度を付けられる、または面取りされてもよい。角度の付いたエッジ１０２は、例えば、衝撃が発生したような場合にフォークリフトタインの衝撃力を偏向させるために、約２５から７５度の範囲内であってもよい。示されているエッジは４５度の角度になっている。
【００２７】
図示された木製パレット１０において、各端部デッキボード３２およびそれに突き合わされた対応する中間デッキボード３４のサイズは、同じ寸法を有する。例えば、端部デッキボード３２とそれに突き合わされた中間デッキボード３４の幅は、例えば、１４５ｍｍであってもよい。別の例では、幅は７８ｍｍであってもよい。
【００２８】
他の実施形態では、各端部デッキボード３２および対応する中間デッキボード３４のサイズは、異なる寸法を有する。例えば、端部デッキボード３２の幅は７８ｍｍであってもよく、対応する中間デッキボード３４の幅は９８ｍｍであってもよい。
【００２９】
慣例上、木製パレットの中間デッキボードは、端部デッキボードの幅よりも狭い幅を有する。さらに、慣例上、端部デッキボードと隣接する中間デッキボードの間にギャップがある。図示される木製パレット１０において、パレットの耐久性は、端部デッキボード３２と隣接する中間デッキボード３４との間にギャップがないとき、特に端部デッキボード３２と隣接する中間デッキボード３４との間が同じ幅を有するとき、大幅に改善される。
【００３０】
積荷層３０はまた、端部デッキボード３２に突き当てられる中間デッキボード３４の間に配置された少なくとも１つの追加の中間デッキボード３５を含む。追加の中間デッキボード３５は、隣接する中間デッキボード３４の間にギャップが生じるように配置される。端部デッキボード３２および中間デッキボード３４、ならびに中間デッキボード３４の間に配置された追加の中間デッキボード３５の寸法は、ボード間にギャップがないとき、積荷層３０の範囲が積荷層３０の最大総面積の７０〜８５パーセントの範囲内になるように選択され、間隔が空けられる。
【００３１】
中間デッキボード３５の幅は、端部デッキボード３２に突き合わされた中間デッキボード３４の幅と同じであってもよい。あるいは、他の実施形態では、中間デッキボード３５は、異なる幅を有してもよい。さらに、中間デッキボード３５を構成するボードは、異なる幅を有してもよい。例えば、中間デッキボード３５の１つは、９８ｍｍの幅を有してもよく、中間デッキボード３５の別の１つは、７８ｍｍの幅を有してもよい。
【００３２】
別の態様は、上記のようなパレット１０を製造するための方法に向けられる。この方法は、ベース層２０を提供すること、および積荷層３０を提供することを含む。積荷層３０は、一対の離隔外側コネクタボード３６と、一対の外側コネクタボード３６の間に少なくとも１つの中央コネクタボード３７と、を含む。一対の離隔端部デッキボード３２は、一対の外側コネクタボード３６と、少なくとも１つの中央コネクタボード３７との上にあり、端部デッキボード３２が、外側コネクタボード３６と、少なくとも１つの中央コネクタボード３７とに直交している。一対の離隔中間デッキボード３４は、一対のコネクタボード３６と、少なくとも１つの中央コネクタボード３７との上にあり、中間デッキボード３４は、外側コネクタボード３６と、少なくとも１つの中央コネクタボード３７と、それぞれの突き当てられた端部デッキボード３２とに直交している。
【００３３】
離隔サポートは、ベース層と積荷層２０、３０との間に結合されている。サポートは、外側サポート４０と、中央サポート４６とを含む。外側サポート４０は、外側コネクタボード３６の１つに接触する上部フランジ４１と、ベース層２０に接触する下部フランジ４３とを有するＣ字型ブラケットとして構成される。中央サポート４６は、少なくとも１つの中央コネクタボード３７に接触する上面４７と、ベース層２０に接触する底面４９と、を有する円筒形シリンダとして構成される 。
【００３４】
本発明の多くの修正および他の実施形態は、前述の説明および関連する図面に提示された教示の利益を有する当業者の頭に浮かぶであろう。したがって、本発明は、開示された特定の実施形態に限定されるべきではなく、修正および実施形態は、添付の特許請求の範囲内に含まれることが意図されていることを理解される。
【図１】
2021532031.tif 000003
【図２】
2021532031.tif 000004
【図３】
2021532031.tif 000005
【図４】
2021532031.tif 000006
【図５】
2021532031.tif 000007
【図６】
2021532031.tif 000008
【図７】
2021532031.tif 000009
【図８】
2021532031.tif 000010
【図９】
2021532031.tif 000011
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
ベース層と；
積荷層であって、
一対の離隔外側コネクタボードと、
前記一対の外側コネクタボードの間に少なくとも１つの中央コネクタボードと、
前記一対の外側コネクタボードと前記少なくとも１つの中央コネクタボードとの上の一対の離隔端部デッキボードであって、前記外側コネクタボードと前記少なくとも１つの中央コネクタボードとに直交している、一対の離隔端部デッキボードと、
前記一対のコネクタボードと前記少なくとも１つの中央コネクタボードとの上の一対の離隔中間デッキボードであって、前記外側コネクタボードと前記少なくとも１つの中央コネクタボードとに直交して、それぞれの端部デッキボードに突き当てられる、一対の中間デッキボードと、を備える積荷層と；
リフト部材を受け入れるためにそれらの間にギャップを形成し、前記ベース層と積荷層との間に結合される、複数の離隔サポートであって、
前記外側コネクタボードの１つに接触する上部フランジと、前記ベース層に接触する底部フランジとを有するＣ字型ブラケットとして構成される外側サポートと、
前記少なくとも１つの中央コネクタボードに接触する上面と、前記ベース層に接触する底面とを有する円筒形シリンダとして構成される中央サポートと、を備える複数の離隔サポートと、
を備えることを特徴とするパレット。
【請求項２】
前記外側サポートが金属を含み、前記中央サポートがプラスチックを含むことを特徴とする請求項１に記載のパレット。
【請求項３】
前記外側および中央コネクタボードが木材を含み、前記端部および中間デッキボードが木材を含む、ことを特徴とする請求項１に記載のパレット。
【請求項４】
前記中間デッキボードおよび前記端部デッキボードは、同じ幅を有する、ことを特徴とする請求項１に記載のパレット。
【請求項５】
前記積荷層は、前記一対の中間デッキボードの間に少なくとも１つの追加の中間デッキボードをさらに含み、前記少なくとも１つの追加の中間デッキボードは、前記一対の中間デッキボードから離隔されている、ことを特徴とする請求項１に記載のパレット。
【請求項６】
前記ベース層は、一対の離隔底端部デッキボードと、前記一対の底端部デッキボードとの間の少なくとも１つの底部中央デッキボードとを含み、各外側サポートの前記底部フランジが前記底端部デッキボードまたは前記少なくとも１つの底部中央デッキボードの１つに接触する、ことを特徴とする請求項１に記載のパレット。
【請求項７】
前記底端部デッキボードおよび前記少なくとも１つの底部中央デッキボードは、前記積荷層内に前記端部デッキボードと前記中間デッキボードと整列している、ことを特徴とする請求項６に記載のパレット。
【請求項８】
各円筒形シリンダは、それを通って延びる開口部を備えた中央ハブと、外壁と、前記中央ハブと前記外壁との間に延びる複数のリブと、を備える、ことを特徴とする請求項１に記載のパレット。
【請求項９】
前記ベース層および前記積荷層は、前記中央サポートに前記中央ハブの開口部と整列するファスナ開口部を含み、前記ベース層および前記積荷層を前記中央サポートに結合するための複数のファスナをさらに備える、ことを特徴とする請求項８に記載のパレット。
【請求項１０】
前記複数のリブは、前記中央ハブと前記外壁と対向する端部から凹んでいる、ことを特徴とする請求項８に記載のパレット。
【請求項１１】
各外側サポートの前記上部フランジは、それを通って延びる単一のファスナ開口部を含み、各外側サポートの前記底部フランジは、それを通って延びる一対のファスナ開口部を含み、
前記ベース層と前記積荷層は、前記外側サポートの開口部と整列したファスナ開口部を含み、前記ベース層と前記積荷層を前記外側サポートに固定するための複数のファスナをさらに備える、ことを特徴とする請求項１に記載のパレット。
【請求項１２】
ベース層を提供するステップと；
積荷層を提供するステップであって、
一対の離隔外側コネクタボードと、
前記一対の外側コネクタボードの間に少なくとも１つの中央コネクタボードと、
前記一対の外側コネクタボードと前記少なくとも１つの中央コネクタボードとの上の一対の離隔端部デッキボードであって、前記外側コネクタボードと前記少なくとも１つの中央コネクタボードとに直交している、一対の離隔端部デッキボードと、
前記一対のコネクタボードと前記少なくとも１つの中央コネクタボードとの上の一対の離隔中間デッキボードであって、前記外側コネクタボードと前記少なくとも１つの中央コネクタボードとに直交して、それぞれの端部デッキボードに突き当てられる、一対の中間デッキボードと、を備える積荷層を提供するステップと；
リフト部材を受け入れるためにそれらの間にギャップを形成し、前記ベース層と積荷層との間に複数の離隔サポートを結合するステップであって、前記サポートは、
前記外側コネクタボードの１つに接触する上部フランジと、前記ベース層に接触する底部フランジとを有するＣ字型ブラケットとして構成される外側サポートと、
前記少なくとも１つの中央コネクタボードに接触する上面と、前記ベース層に接触する底面とを有する円筒形シリンダとして構成される中央サポートと、を備える、複数の離隔サポートを結合するステップと、
を備えることを特徴とするパレットを製造するための方法。
【請求項１３】
前記外側サポートが金属を含み、前記中央サポートがプラスチックを含むことを特徴とする請求項１２に記載の方法。
【請求項１４】
前記外側および中央コネクタボードが木材を含み、前記端部および中間デッキボードが木材を含む、ことを特徴とする請求項１２に記載の方法。
【請求項１５】
前記中間デッキボードおよび前記端部デッキボードは、同じ幅を有する、ことを特徴とする請求項１２に記載の方法。
【請求項１６】
前記積荷層は、前記一対の中間デッキボードの間に少なくとも１つの追加の中間デッキボードをさらに含み、前記少なくとも１つの追加の中間デッキボードは、前記一対の中間デッキボードから離隔されている、ことを特徴とする請求項１２に記載の方法。
【請求項１７】
前記ベース層は、一対の離隔底端部デッキボードと、前記一対の底端部デッキボードとの間の少なくとも１つの底部中央デッキボードとを含み、各外側サポートの前記底部フランジが前記底端部デッキボードまたは前記少なくとも１つの底部中央デッキボードの１つに接触する、ことを特徴とする請求項１２に記載の方法。
【請求項１８】
前記底端部デッキボードおよび前記少なくとも１つの底部中央デッキボードは、前記積荷層内に前記端部デッキボードと前記中間デッキボードと整列している、ことを特徴とする請求項１７に記載の方法。
【請求項１９】
各円筒形シリンダは、それを通って延びる開口部を備えた中央ハブと、外壁と、前記中央ハブと前記外壁との間に延びる複数のリブと、を備える、ことを特徴とする請求項１２に記載の方法。
【請求項２０】
前記ベース層および前記積荷層は、前記中央サポートに前記中央ハブの開口部と整列するファスナ開口部を含み、前記ベース層および前記積荷層を前記中央サポートに結合するための複数のファスナをさらに備える、ことを特徴とする請求項１９に記載の方法。
【国際調査報告】
2021532031.tif 000012